(57)【要約】      （修正有）【課題】安全かつ容易に梯子どうしを上下に連結固定させることのできる梯子固定金具を提供する。【解決手段】支柱間に複数段の踏み桟が平行に設けられている梯子１１ａ、１１ｂどうしを上下に連結固定する梯子固定金具１である。連結される上下の梯子１１ａ、１１ｂの支柱１２ａ、１２ｂを梯子１１ａ、１１ｂの厚さ方向から挟み込む一対の挟持部２ａ、２ｂとこれらをつなぐ接続部とから断面コ字状に形成され、一方の挟持部２ｂには踏み桟１３ａ、１３ｂを梯子１１ａ、１１ｂの厚み方向から嵌入させるための踏み桟嵌入溝４が設けられている。挟持部２ａ、２ｂの先端部間には、踏み桟の抜け出しを防止するための留め具５が設けられている。【選択図】図４
2018204306.tif 000002
【特許請求の範囲】
【請求項１】
２つの支柱の間に複数の踏み桟が平行に設けられている梯子どうしを上下に連結固定させる梯子固定金具であって、前記支柱を梯子の幅方向両側から挟み込む一対の挟持部と前記一対の挟持部をつなぐ接続部とから断面コ字状に形成されており、前記一対の挟持部の少なくとも一方には前記踏み桟を梯子の厚み方向から嵌入させるための踏み桟嵌入溝が設けられており、前記一対の挟持部の先端部間には、前記踏み桟の抜け出しを防止するための留め具が設けられていることを特徴とする梯子固定金具。
【請求項２】
請求項１記載の梯子固定金具において、前記留め具は、前記一対の挟持部の先端部の一方に軸支され、他方に係止固定される開閉可能な留め具であることを特徴とする梯子固定金具。
【請求項３】
請求項１または２記載の梯子固定金具において、前記踏み桟嵌入溝の上下には前記踏み桟を上下から挟み込むリブ状の折返し部が形成されていることを特徴とする梯子固定金具。
【請求項４】
請求項１、２または３記載の梯子固定金具において、前記接続部の背面側には、クランプ金具が一体にまたは着脱可能に設けられていることを特徴とする梯子固定金具。
【請求項５】
２つの支柱の間に複数の踏み桟が平行に設けられている梯子を足場を構成する足場部材に固定させる梯子固定金具であって、前記支柱を梯子の幅方向両側から挟み込む一対の挟持部と前記一対の挟持部をつなぐ接続部とから断面コ字状に形成されており、前記一対の挟持部の少なくとも一方には前記踏み桟を梯子の厚み方向から嵌入させるための踏み桟嵌入溝が設けられており、前記一対の挟持部の先端部間には、前記踏み桟の抜け出しを防止するための留め具が設けられており、前記接続部の背面側には、クランプ金具が一体にまたは着脱可能に設けられていることを特徴とする梯子固定金具。
【発明の詳細な説明】
【技術分野】
【０００１】
本発明は、主として足場工事等で使用される梯子を上下に連結するための梯子固定金具に関するものである。
【背景技術】
【０００２】
従来、建設現場において仮設足場を組み、上下の足場の間に昇降用梯子を取り付ける場合、上下に梯子を連結して固定することがある。また、鉄骨建方用の作業用ステージや吊足場などでは、足場の間隔が６ｍ程度になることもあり、複数台の梯子を連結して固定しなければならないこともある。
【０００３】
梯子を連結する接続具や足場と梯子を連結するものに関して、例えば、特許文献１〜３がある。
【０００４】
特許文献１には、伸縮式梯子とその接続具が記載されている。接続具には、重ねられた２本の側柱の一方に固定されて他方の側柱と対向する部分を有する枠体と、他方の側柱に形成された被係止部に係止・解除が可能な係止部と、他方の側柱と枠体との間にスライド自在に嵌装される楔部材と、楔部材をスライドして他方の側柱を一方の側柱に圧接させることで枠体と側柱とを仮止めする操作部とを有している。
【０００５】
特許文献２には、ステップ用横パイプ材の両端が左右両側縦材の外側面に開口している仮設梯子の固定方法が記載されている。ステップ用横パイプ材に挿入可能な差込み杆部と差込み杆部の外端に連なる支持杆部とから成る固定金具を使用し、固定金具の差込み杆部を梯子の適当高さにあるステップ用横パイプ材に挿入した状態で、固定金具の支持杆部と梯子の周囲に位置する構造物又は構造物に固定された繋ぎ部材とをクランプにより連結する。
【０００６】
特許文献３には、複数の縦材や横材、足場板等を組み上げて成る仮設足場に取り付けられる昇降用梯子の固定金具が記載されている。梯子の脚柱を抱持する略コ字形状の抱持片を一対略平行に備え、これら各抱持片の基端部同士を平板状のガイド部材にて連結して固定金具本体と成し、ガイド部材には各抱持片と略平行に所定長さのスリットを穿設する一方、スリットに仮設足場の横材に係止する係止クランプ基部の支持ボルトを挿通させて摺動自在に備え、梯子を仮設足場に固定するときには、抱持片にて梯子の脚柱を抱持させた状態で係止クランプにて仮設足場の横材に係止すると共に、固定金具本体をスリットに沿って横材側に摺動させ、梯子の脚柱を抱持片と仮設足場の横材とで挟持させて固定するように構成されている。
【先行技術文献】
【特許文献】
【０００７】
【特許文献１】実用新案登録第３１２７８７９号公報
【特許文献２】特開２００４−１０８０６４号公報
【特許文献３】特開２０１２−１５８９４４号公報
【発明の概要】
【発明が解決しようとする課題】
【０００８】
特許文献１記載の方法は、上下の梯子体の側柱を重ねて、伸縮自在にした梯子において、側柱をスライドさせて、梯子の長さを所望の長さにしたとき、接続部に設けた楔部材を差し込むことで上下の側柱を仮止めすることができるが、梯子の台数が多くなる場合には不向きであり、安定性に欠ける。
【０００９】
特許文献２記載の方法は、Ｌ字形の固定金具であって、パイプ材から成る差込み杆部と、差込み杆部の一端に直角向きに固着されたパイプ材から成る支持杆部とから構成されているが、ステップ用横パイプ材の両端が左右両側縦材の外側面に開口している梯子にしか使用することができない。
特許文献３記載の方法は、仮設足場と梯子を連結するものであり、梯子どうしを連結できるものではない。
【００１０】
本発明は、上述のような課題の解決を図ったものであり、安全かつ容易に梯子どうしを上下に連結固定させることのできる梯子固定金具を提供することを目的としている。
【課題を解決するための手段】
【００１１】
本発明に係る梯子固定金具は、２つの支柱の間に複数の踏み桟が平行に設けられている梯子どうしを上下に連結固定させる梯子固定金具であって、支柱を梯子の幅方向両側から挟み込む一対の挟持部と一対の挟持部をつなぐ接続部とから断面コ字状に形成されており、一対の挟持部の少なくとも一方には踏み桟を梯子の厚み方向から嵌入させるための踏み桟嵌入溝が設けられており、一対の挟持部の先端部間には、踏み桟の抜け出しを防止するための留め具が設けられていることを特徴とするものである。
【００１２】
上下に連結させる梯子の踏み桟が横並びになる位置にして、横に並んだ上下の梯子の２つの踏み桟を踏み桟嵌入溝に嵌入させるように、一対の挟持部で梯子の支柱を梯子の幅方向から挟み込む。一対の挟持部の先端部間には留め具を設けて、踏み桟が梯子固定金具から抜け出さないように梯子の支柱に梯子固定金具を固定することができる。
【００１３】
留め具の留め方式や形態は特に限定されないが、例えば一対の挟持部の先端部の一方に軸支され、他方に係止固定される開閉可能な留め具などを用いることができる。なお、留め具はあらかじめ梯子固定金具に取り付けて一体化したものでもよいし、梯子固定金具とは別体の留め具でもよい。
【００１４】
踏み桟嵌入溝の上下には、踏み桟を上下から挟み込むリブ状の折返し部が形成されているとよい。
踏み桟嵌入溝の上下にリブ状の折返し部を設けることによって、梯子固定金具自体の剛性が上がる。また踏み桟嵌入溝に梯子の踏み桟を嵌入させて、梯子を昇降する際の揺れなどを防ぎ、安定させる効果もある。
【００１５】
梯子固定金具の接続部の背面側には、クランプ金具を一体にまたは着脱可能に設けることもできる。梯子固定金具の接続部の背面側にクランプ金具を設けることによって、梯子どうしの連結固定だけではなく、梯子を仮設足場などの単管パイプと連結固定させることも可能になる。
【００１６】
また、本発明に係る梯子固定金具は、２つの支柱の間に複数の踏み桟が平行に設けられている梯子を足場を構成する足場部材に固定させるものであって、支柱を梯子の幅方向両側から挟み込む一対の挟持部と一対の挟持部をつなぐ接続部とから断面コ字状に形成されており、一対の挟持部の少なくとも一方には踏み桟を梯子の厚み方向から嵌入させるための踏み桟嵌入溝が設けられており、一対の挟持部の先端部間には、踏み桟の抜け出しを防止するための留め具が設けられており、接続部の背面側には、クランプ金具が一体にまたは着脱可能に設けられていることを特徴とするものである。
【００１７】
本発明の梯子固定金具は、梯子どうしを連結するだけでなく、クランプ金具と組み合わせて、仮設足場などを構成する足場部材に梯子を連結固定させて、梯子を安定させるために用いることもできる。
【発明の効果】
【００１８】
本発明に係る梯子固定金具は、以上のような構成からなるので、２つの支柱の間に複数の踏み桟が平行に設けられている梯子どうしを安全かつ容易に連結固定させることができる。
【００１９】
また、梯子固定金具にクランプ金具を設けることによって、梯子を仮設足場などにも連結固定させることができ、梯子が振れるのを防止することもできる。
【図面の簡単な説明】
【００２０】
【図１】本発明に係る梯子固定金具の一実施形態における使用状態における要部を示す斜視図である。
【図２】図１の実施形態の梯子固定金具のみを示す斜視図である。
【図３】(a)は図１の実施形態の梯子固定金具の平面図、(b)は正面図、(c)は背面図（梯子の踏み桟側からみた図）、(d)は右側面図である。
【図４】図１の実施形態において、梯子どうしを上下に連結固定させる様子を示した斜視図である。
【図５】本発明に係る梯子固定金具の他の実施形態において、梯子を足場に部材に固定させる様子を示した斜視図である。
【発明を実施するための形態】
【００２１】
以下、本発明を添付した図面に基づいて説明する。なお、本発明は以下に示される実施形態に限定されるものではない。
【００２２】
図１〜図４は、本発明に係る梯子固定金具１の一実施形態を示したものであり、図１および図４に梯子どうしを上下に連結固定させる様子を示している。
【００２３】
梯子固定金具１は、図２および図３に示すように、一対の挟持部２ａ、２ｂと挟持部２ａ、２ｂどうしを繋ぐ接続部３とから断面がコ字状に形成されている。一方の挟持部２ｂには、踏み桟嵌入溝４が設けられており、その踏み桟嵌入溝４の上下には、リブ状の折返し部６が設けられている。踏み桟嵌入溝４の上下に折返し部６を設けることによって、梯子固定金具１自体の剛性を高めることができる。
【００２４】
また、図１に示すように、折返し部６が上下の梯子１１ａ、１１ｂの踏み桟１３ａ、１３ｂを上下から挟み込む形で広い接触面積が得られるため、上下に連結される梯子１１ａ、１１ｂを安定させて固定することができ、梯子１１ａ、１１ｂを昇降した際の揺れなども軽減される。
【００２５】
他方の挟持部２ａの先端部には、外側に折れ曲がった屈曲片部７が形成されている。屈曲片部７を設けることによって、梯子１１の支柱１２に梯子固定金具１を取り付ける際に差し込みやすくなる。また、この挟持部２ａの先端部には、屈曲片部７にかけて留め具５を構成するアイボルト５ａが貫入される横長のアイボルト貫入孔８が形成されている。
【００２６】
本実施形態における留め具５は、アイボルト５ａ、ナット５ｂ、アイボルト５ａの穴に通した係止用丸棒５ｃなどから構成され、上述した挟持部２ａのアイボルト貫入孔８に通したアイボルト５ａの先端の係止用丸棒５ｃを他方の挟持部２ｂの折返し部６に形成した係止溝６ａに係止し、ナット５ｂを締め付けて固定するようにしたものである。
【００２７】
挟持部２ａに設けたアイボルト貫入孔８は、アイボルト５ａを貫入した状態でナット５ｂで固定するようになっており、図示したような長孔の形状にすると、屈曲片部８の先端に留め具５を付けたまま、梯子固定金具１を梯子１１の支柱１２に装着することができる。
【００２８】
図４は、本実施形態において、梯子１１ａ、１１ｂどうしを上下に連結固定させる様子を示したものである。接続作業においては、まず、連結する上下の梯子１１ａ、１１ｂの踏み桟１３ａ、１３ｂどうしが横並びの位置になるように、支柱１２ａ、１２ｂを厚さ方向に重ねる。
【００２９】
踏み桟嵌入溝４に踏み桟１３ａ、１３ｂが嵌入されるように、梯子固定金具１を梯子１１ａ、１１ｂの厚さ方向から支柱１２ａ、１２ｂを差し込み、留め具５の係止用丸棒５ｃを係止溝６ａに係止させ、アイボルト５ａをナット５ｂで締め付けることで、支柱１２ａ、１２ｂおよび踏み桟１３ａ、１３ｂが梯子固定金具１の挟持部２ａ、２ｂ内に固定される。
【００３０】
この梯子固定金具１による固定を、梯子１１ａ、１１ｂの両側の支柱１２ａ、１２ｂの同じ高さで行う。なお、梯子固定金具１による連結は１箇所に限らず、２段以上の踏み桟位置で行えばより安定した接続状態となる。
【００３１】
図５は、本発明の梯子固定金具１を用いて、梯子１１を足場を構成する部材に固定させる場合の実施形態を示したものである。例えば、中吊り状態の梯子の下部を足場の単管パイプ１５などに固定して安定させる場合などに用いることができる。
【００３２】
本実施形態では、梯子固定金具１の接続部３のクランプ金具用孔９（図３参照）にクランプ金具１４を取り付けてある。
【００３３】
本実施形態では、梯子固定金具１に固定される梯子１１は１本のみであるが、例えば中吊り状態の梯子１１の支柱１２の下部およびその位置にある踏み桟１３を、上述した図４の実施形態と同様の操作により、梯子固定金具１の挟持部２ａ、２ｂ内に固定させる。
【００３４】
その状態で、クランプ金具１４により、足場の単管パイプ１５などに固定することで、下端が中吊り状態の梯子１１の揺れをなくし、安定させることができる。
【００３５】
なお、梯子１１の支柱１２の断面に相当する大きさのスペーサー１６を梯子固定金具１の挟持部２ａ、２ｂ内に一緒に挟み込むようにすれば、図４の実施形態と同じ梯子固定金具１にクランプ金具１４を取り付けたものを用いることができる。
【符号の説明】
【００３６】
１…梯子固定金具、２ａ、２ｂ…挟持部、３…接続部、４…踏み桟嵌入溝、５…留め具、５ａ…アイボルト、５ｂ…ナット、５ｃ…係止用丸棒、６…折返し部、６ａ…係止溝、７…屈曲片部、８…アイボルト貫入孔、９…クランプ金具用孔、
１１…梯子、１１ａ…上側の梯子、１１ｂ…下側の梯子、１２…支柱、１２ａ…上側の梯子の支柱、１２ｂ…下側の梯子の支柱、１３…踏み桟、１３ａ…上側の梯子の踏み桟、１３ｂ…下側の梯子の踏み桟、
１４…クランプ金具、１５…足場の単管パイプ、１６…スペーサー
【図１】
2018204306.tif 000003
【図２】
2018204306.tif 000004
【図３】
2018204306.tif 000005
【図４】
2018204306.tif 000006
【図５】
2018204306.tif 000007